(57)【要約】【課題】利用者のログ情報を視覚的に分かり易く検索表示でき、ログ情報中の利用時間の状況をビジュアルに把握できる装置とその方法及びビジュアル化プログラムを提供する。【解決手段】コンピュータシステム１には、ログ情報の検索結果を表示する表示手段２と、ログ情報の検索時に検索条件等を指定する入力手段３と、ログ情報を記録蓄積する記憶媒体４とが備えている。コンピュータシステム１内に、記録媒体４に記録保存しているログ情報を検索し、表示手段２の画面にログ情報をビジュアル表示するビジュアルナビゲート手段５を有している。このビジュアルナビゲート手段５は、利用者のログ情報を取得して一時記憶部９に記録するログ情報取得部６と、一時記憶部９から利用者のログ情報を指定するログ情報選択部７と、表示手段２の画面表示形式の選択等を行う画面表示処理手段８とを備えている。【選択図】図１
2007114817.tif 000002
【特許請求の範囲】
【請求項１】
コンピュータシステムにより、記録媒体に記録保存している利用者のログ情報を検索し、表示手段の画面に利用者分のログ情報を表示する装置であって、前記コンピュータシステムには、記録媒体に記録保存している利用者のログ情報を検索し、表示手段の画面に利用者分のログ情報を、指定した年の月日と時間で段階的にビジュアル表示するビジュアルナビゲート手段を有して構成したことを特徴とするログ情報のビジュアル化装置。
【請求項２】
請求項１において、前記ビジュアルナビゲート手段には、記録媒体に記録保存している利用者のログ情報を取得して一時記憶部に記録するログ情報取得部と、前記一時記憶部から指定年の月日と時間における利用者分のログ情報を選択処理するログ情報選択部と、表示手段の画面表示形式の表示処理を行う画面表示処理手段とを備えて構成したことを特徴とするログ情報のビジュアル化装置。
【請求項３】
コンピュータシステムに、利用者のログ情報の検索結果を表示する表示手段と、ログ情報の検索時に指定を行う入力手段と、ログ情報を記録蓄積する記憶媒体とを備えたのもであって、前記コンピュータシステムには、記録媒体に記録保存している利用者のログ情報を検索し、表示手段の画面に利用者分のログ情報を、指定した年の月日と時間でビジュアル表示するビジュアルナビゲート手段５を有し、前記ビジュアルナビゲート手段は、記録媒体に記録保存している利用者のログ情報を取得して一時記憶部に記録するログ情報取得部と、前記一時記憶部から指定年の月日と時間における利用者分のログ情報を選択処理するログ情報選択部と、表示手段の画面表示形式の表示処理を行う画面表示処理手段とを備えて構成したことを特徴とするログ情報のビジュアル化装置。
【請求項４】
請求項２又は３において、前記ログ情報選択部には、指定年から月の表示、日の表示、時間単位の表示、分区分単位の表示、詳細ログ情報の表示を表示手段の画面へ段階的にビジュアル表示する処理手段を有することを特徴とするログ情報のビジュアル化装置。
【請求項５】
請求項２から４のいずれかにおいて、前記ログ情報選択部には、月の表示をカレンダー形式で表示手段の画面に表示する処理手段を有することを特徴とするログ情報のビジュアル化装置。
【請求項６】
請求項２から５のいずれかにおいて、前記ログ情報選択部には、時間単位の表示を時間ブロック形式で表示手段の画面に表示すると共に、選択した領域の時間ブロック部分を強調表示する処理手段を有することを特徴とするログ情報のビジュアル化装置。
【請求項７】
請求項２から６のいずれかにおいて、前記ログ情報選択部には、分区分単位を利用者の１作業単位で表示手段の画面に表示する処理手段を有することを特徴とするログ情報のビジュアル化装置。
【請求項８】
請求項２から７のいずれかにおいて、前記前記ログ情報選択部には、分区分単位を１作業単位で利用者の詳細ログ情報を表示手段の画面に表示する処理手段を有することを特徴とするログ情報のビジュアル化装置。
【請求項９】
コンピュータシステムにより、記録媒体に記録保存している利用者のログ情報を読み込み処理し、前記読み込んだログ情報から表示手段の画面に表示する指定年で、利用者指定条件に合致する月をビジュアル表示する処理し、その月の利用者指定条件に合致する日をビジュアル表示する処理し、その日の利用者指定条件に合致する時間帯をビジュアル表示する処理し、その時間帯における利用者指定条件に合致する分区分単位の詳細ログ情報をビジュアル表示する処理して行うことを特徴とするログ情報のビジュアル化方法。
【請求項１０】
コンピュータシステムにより、記録媒体に記録保存している利用者のログ情報を読み込む処理手順と、前記読み込んだログ情報から表示手段の画面に表示する指定年で、利用者指定条件に合致する月をビジュアル表示する処理手順と、その月の利用者指定条件に合致する日をビジュアル表示する処理手順と、その日の利用者指定条件に合致する時間帯をビジュアル表示する処理手順と、その時間帯における利用者指定条件に合致する分区分単位の詳細ログ情報をビジュアル表示する処理手順とを実行することを特徴とするログ情報のビジュアル化プログラム。
【発明の詳細な説明】
【技術分野】
【０００１】
本発明は、コンピュータシステムにおけるログ情報を容易に参照できるログ情報のビジュアル化装置とその方法、及びビジュアル化プログラムに関する。
【背景技術】
【０００２】
一般的に、コンピュータシステムの操作履歴や、コンピュータシステム上で動作するアプリケーションの操作履歴等は、ログ情報として記憶媒体上のログファイルに記録され、蓄積されている。通常、コンピュータシステムのログファイルは、テキスト形式になっており、必要に応じて管理者等が、解析手段であるエディタなどを利用し、膨大なログ情報を参照して解析等行われている。
【０００３】
ログファイルの中からログ情報を検索解析するログ情報解析装置としては、例えば特許文献１に開示されたものがある。この特許文献１には、ログファイルの中からデータベースに登録されたキーワード及びログ情報の種別を表す種別情報などを検索条件として、該当するログ情報のみ検索して抽出し、指定された通知先に通知し、必要な部分のログ情報のみを参照できるようにするログ情報解析装置が提案されている。
【０００４】
また、特許文献２には、ログファイルに記録保存したログ情報を表示し、ログ情報に含まれる文字とこの文字を含むログ情報に対して、編集内容の編集情報を設定することにより、設定されたログ情報の抽出を行い、ユーザが所望する形態に整形して表示する表示ログ整形装置が提案されている。
【０００５】
【特許文献１】特開平８−３１４７６３号公報
【特許文献２】特開２００５−１５４５６号公報
【発明の開示】
【発明が解決しようとする課題】
【０００６】
しかしながら、ログ情報を特許文献１のようなキーワード等による抽出検索や、特許文献２のような編集条件設定による整形表示は、ログ情報の絞り込みはできるが、いずれもログ情報はテキスト形式の文字列表示となるため、利用者にとっては、視覚的にログ情報の状況を把握しずらい問題がある。
【０００７】
本発明の目的は、ログ情報を視覚的に分かり易く検索表示でき、ログ情報中の利用時間の状況をビジュアルに把握できるログ情報のビジュアル化装置とその方法及びビジュアル化プログラムを提供することにある。
【課題を解決するための手段】
【０００８】
本発明のログ情報のビジュアル化装置は、コンピュータシステムにより、記録媒体に記録保存している利用者のログ情報を検索し、表示手段の画面に利用者分のログ情報を表示するものであって、コンピュータシステムには、記録媒体に記録保存している利用者のログ情報を検索し、表示手段の画面に利用者分のログ情報を、指定した年の月日と時間で段階的にビジュアル表示するビジュアルナビゲート手段を有している。そして、このビジュアルナビゲート手段には、記録媒体に記録保存している利用者のログ情報を取得して一時記憶部に記録するログ情報取得部と、前記一時記憶部から指定年の月日と時間における利用者分のログ情報を選択処理するログ情報選択部と、表示手段の画面表示形式の表示処理を行う画面表示処理手段とを備えている。
【０００９】
また、本発明のログ情報のビジュアル化方法及びビジュアル化プログラムでは、コンピュータシステムにより、記録媒体に記録保存している利用者のログ情報を読み込み処理し、前記読み込んだログ情報から表示手段の画面に表示する指定年で、利用者指定条件に合致する月をビジュアル表示する処理し、その月の利用者指定条件に合致する日をビジュアル表示する処理し、その日の利用者指定条件に合致する時間帯をビジュアル表示する処理し、その時間帯における利用者指定条件に合致する分区分単位の詳細ログ情報をビジュアル表示する処理を行うものである。
【発明の効果】
【００１０】
本発明のログ情報のビジュアル化装置によれば、コンピュータシステムにおけるテキスト形式で蓄積されている利用者の膨大なログ情報に対して、ビジュアルナビゲート手段により、利用者と時間を条件に視覚的に理解し易い形式で、ログ情報中の利用時間状況の検索表示を行うことができる。
【００１１】
また、本発明のログ情報のビジュアル化方法及びビジュアル化プログラムによれば、コンピュータシステムを使用した利用者のログ情報を閲覧する閲覧利用者にとって、簡単な操作で見易く、しかも理解し易い形で画面に表示することができる。
【発明を実施するための最良の形態】
【００１２】
本発明のログ情報のビジュアル化装置は、コンピュータシステムに、ログ情報の検索結果を表示する表示手段と、ログ情報の検索時に検索条件等を指定する入力手段と、ログ情報を記録蓄積する記憶媒体とを備えている。そして、コンピュータシステム内には、記憶媒体に記憶蓄積したログ情報を検索し、表示手段の画面に利用者分のログ情報をビジュアル表示するビジュアルナビゲート手段を有している。
【実施例１】
【００１３】
本発明の一実施例であるログ情報のビジュアル化装置を、図１に示しており、コンピュータシステム１には、ログ情報の検索結果を表示する表示手段２と、ログ情報の検索時に検索条件等を指定する入力手段３と、ログ情報を記録蓄積する記憶媒体４とが備えられている。記憶媒体４には、コンピュータシステム１上で動作しているアプリケーション等のログ情報や、コンピュータシステム１における操作履歴情報等の利用者のログ情報が、ログファイル１０に記録蓄積され、この例ではログ情報の検索を容易にするために、ログファイルインデックス１１も記録保存している。
【００１４】
記録媒体４としては、一般に使用する内蔵ハードディスクやＵＳＢ（Ｕｎｉｖｅｒｓａｌ  Ｓｅｒｉａｌ  Ｂｕｓ）ハードディスク等を用いることができる。また、このログ情報の蓄積場所は、コンピュータシステム１内の記録媒体を使用しても良く、上記の外付けした記録媒体以外に、ネットーワーク上にある管理サーバ等の記録媒体を使用することができる。
【００１５】
本発明ではコンピュータシステム１内に、記録媒体４に記録保存しているログ情報を検索し、表示手段２の画面に例えば図２に示して後述するように、ログ情報をビジュアル表示するビジュアルナビゲート手段５を有している。このビジュアルナビゲート手段５は、記録媒体４に記録保存している利用者のログ情報を取得し、メモリ等の一時記憶部９に記録するログ情報取得部６と、一時記憶部９から利用者のログ情報を指定するログ情報選択部７と、表示手段２の画面表示形式の選択等を行う画面表示処理手段８とを備えて構成している。
【００１６】
ログ情報選択部７は、例えば図２に示す如く表示手段２の画面に、閲覧利用者が参照したいログ情報の年を指定処理に応じて指定年の月選択画面１２を表示する年指定処理部７Ａ、指定月の選択に応じてカレンダー表示画面１３を表示する月指定処理部７Ｂ、指定日の選択に応じて時間単位画面１４を表示する日指定処理部７Ｃ、指定日の選択に応じて詳細表示画面１５やログ情報のログ記録表示画面１６を表示する時間指定処理部７Ｄを備えている。また、画面表示処理手段８には、図の例では存在した日を活性表示、存在しない日を不活性表示する活性表示処理部８Ａと選択した指定の画面部分を強調表示させる強調表示処理部８Ｂとを設けている。
【００１７】
図２に示す表示手段２の画面では、表示年を挟む両側の白三角の操作で指定変更可能としている指定年の全ての月や日のカレンダー表示をした例であるが、年や月や日の入力指定窓をそれぞれ設けておき、利用者がこれら入力指定窓に入力して指定するようにすることもできる。
【００１８】
記録媒体４のログファイル１０に記録するログ情報のデータ構造の一例を、図３に示している。このログ情報のデータ構造は、年月日データの日付情報フィールドと、時分秒データの時間情報フィールドと、コンピュータシステム１での操作を実施した利用者名などの情報である利用者名フィールドや、ログ情報の種別を示すログ種別フィールド、ログメッセージ情報フィールドから構成されている。
【００１９】
また、本発明で使用するログファイルインデックス１１の一例を、図４に示しており、ログファイルインデックス１１は、ツリー構造となっている。ツリー階層構造は、最上階層の年単位の年データ２１に、月単位の月データ２２、日単位の日データ２３が順に従属する構造になっている。年データ２１には、西暦年とその年の範囲におけるログ情報の出力時に、コンピュータシステム１を利用していた利用者の情報を保持している。例えば、２００４年にＡさんとＢさんが、コンピュータシステム１を利用していた場合には、２００４年の年データには、ＡさんとＢさんの利用者情報Ａ、Ｂが保持される。
【００２０】
月データ２２には、月とその月におけるログ情報の出力時にコンピュータシステム１を利用していた利用者情報Ａ、Ｂを保有している。同様に日データ２３には、日とその日におけるログ情報の出力時にコンピュータシステム１を利用していた利用者情報Ａ、Ｂを保有している。しかも、ログファイル１０における、日単位のログ情報の開始格納位置を、ファイルポインタＰ１、Ｐ２…として保持している。
【００２１】
本発明のログ情報のビジュアル化装置において、ビジュアルナビゲート手段５により時間的な視覚的絞り込みを行う手順を、図５のフローチャートに示している。閲覧利用者の操作で、ビジュアルナビゲート手段５の処理手順が実行されると、記憶媒体４のログファイルインデックス１１からインデックス情報を読み込み、内部管理する一時記憶部９にログ情報を格納する（ステップＳ１１）。次に、初期表示用の年を決定するため、ログファイルインデックス１１の最新年データの西暦年を指定年として設定をする（ステップＳ１２）。続いて、その指定年と利用者指定条件の有無を考慮し、表示対象とする年を決定する処理を実行する（ステップＳ１３）。
【００２２】
ここで、前記の表示対象年決定処理（ステップＳ１３）の詳細な手順のフローチャートを、図６を用いて説明する。表示対象年決定処理（ステップＳ１３）では、ログファイルインデックス１１の情報を、前記ステップＳ１１の処理にて格納した一時記憶部９から取得する（ステップＳ１３１）。次に、指定された指定年を、この処理のターゲット年として設定する（ステップＳ１３２）。
【００２３】
続いて、利用者指定条件が指定されているかの有無判定を行い（ステップＳ１３３）、ここで利用者指定条件が有と判定された場合には、ターゲット年の年データに指定利用者が含まれるかテーブルの利用者名をチェックする（ステップＳ１３４）。このチェック結果を判定し（ステップＳ１３５）、利用者指定条件に該当（合致）する利用者名がない場合には、ターゲット年を１年減算する（ステップＳ１３６）。
【００２４】
減算の結果、現在のログ保存期間をオーバーしているかの判定を実行し（ステップＳ１３７）、オーバーしているＹｅｓ場合は、利用者の指定条件者の情報が存在せず、該当なし（ステップＳ１３８）となって終了する。ログ保存期間をオーバーしていないＮｏの場合は、再度前記のステップＳ１３４から実行する。
【００２５】
利用者指定条件の有無の判定（ステップＳ１３３）で、利用者指定条件が無の場合や、前記ステップＳ１３５の判定で、利用者指定条件に該当する情報が存在する場合には、ターゲット年に属する月の月データをチェックし、存在月を選定する（ステップＳ１３９）。ここで、利用者指定条件がある場合には、存在月に指定利用者データがあるかのチェックも併せて実施する。次に、前記ステップＳ１３９で選定した存在月を活性表示、存在しない月を不活性表示として表示手段２に月選択画面を表示する（ステップＳ１４０）。
【００２６】
図５の表示対象年決定処理（ステップＳ１３）により、表示手段２には例えば図２に示すような月選択画面１２が表示される。月選択画面１２が表示中に、閲覧利用者によって年変更操作が実施される（ステップＳ１４）と、指定年を操作に併せて増減処理を行い（ステップＳ１５）、再度指定年と利用者指定条件の有無を考慮して表示対象とする年を決定する処理を実行する（ステップＳ１３）。閲覧利用者が、入力手段３にて表示手段２の月選択画面１２の活性表示された月（ログ情報の存在する月）を入力手段３から選択すると、その選択された活性表示月の情報を取得し（ステップＳ１６）、その情報に基づいて、表示手段２に例えば図２に示すカレンダー表示画面１３を表示する選択月カレンダー表示処理を実行する（ステップＳ１７）。
【００２７】
ここで、選択月カレンダー表示処理（ステップＳ１７）の詳細な手順を、図７に示すフローチャートにより説明する。まず、ログファイルインデックス１１の情報を、ステップＳ１１の処理にて格納した一時記憶部９から取得する（ステップＳ１７１）。そして、この指定月に属する日の日データをチェックし、ログ情報の存在日を選定する（ステップＳ１７２）。ここでは、利用者指定条件がある場合には、存在日に指定利用者データがあるかのチェックも併せて実施する。
次に、画面表示処理手段８の活性表示処理部８Ａによって、ステップＳ１７２で選定した存在日を、活性表示、存在しない日を不活性表示として、表示手段２に例えば図２に示すようなカレンダー表示画面１３を表示する（ステップＳ１７３）。
【００２８】
図５の選択月カレンダー表示処理（ステップＳ１７）で表示したカレンダー表示画面１３で、活性表示された日（ログ情報の存在する日）を選択すると、その選択された活性表示日の情報を取得し（ステップＳ１８）、その情報に基づき、表示手段２に例えば図２に示すような時間単位画面１４を表示するための選択日時間単位画面表示処理を実行する（ステップＳ１９）。
【００２９】
ここで、選択日時間単位画面表示処理（ステップＳ１９）の詳細な手順を、図８に示すフローチャートにより説明する。選択日時間単位画面表示処理（ステップＳ１９）では、ログファイルインデックス１１の情報を、前記ステップＳ１１の処理にて格納した一時記憶部９から取得する（ステップＳ１９１）。次に、選択日の日データからその日の分のログ蓄積が開始された格納位置を取得し（ステップＳ１９２）、取得した格納位置のログファイルから、１レコード分を読み出しする（ステップＳ１９３）。
【００３０】
続いて、読み出したレコード情報の日付が、選択日と同じかどうかの判定を実施し（ステップＳ１９４）、同じＹｅｓ場合には、１レコード分の情報を内部の一時記憶部９に格納する（ステップＳ１９５）。またこのとき、利用者指定条件がある場合には、利用者名が一致するレコード情報のみをテーブルに格納する。次レコードを読み出す必要があるときには、ステップＳ１９３から再度実行する。
【００３１】
選択日の一致判定（ステップＳ１９４）で日付が不一致のＮｏの場合には、レコードを格納した一時記憶部９に基づき、例えば１５分などの任意単位で時間ブロックを形成し、その時間ブロックにログ情報が存在する場合には、画面表示処理手段８の処理により、例えばその時間ブロックを斜線や塗りつぶし表示する等で、表示手段２には図２に示すようなログ情報の存在を表す表示にして、時間単位画面１４を表示する（ステップＳ１９６）。
【００３２】
表示手段２に表示する時間単位画面１４は、画面表示処理手段８の処理により、例えば１５分区分単位等の任意の区分単位で時間ブロックに分け、ログ情報が存在する時間ブロックは、パターン表示等の存在が区別できる表示にし、しかもその時間ブロック範囲の表示上を、入力手段３から閲覧利用者が矩形範囲を選択指示すると、時間単位画面操作処理（ステップＳ２０）において、画面表示処理手段８の強調表示処理部８Ａによって、選択した時単位の部分を強調表示させることもできる。
【００３３】
ここで、時間単位画面の操作処理（ステップＳ２０）のフローチャートの詳細な手順を、図９により説明する。時間単位画面の操作処理（ステップＳ２０）では、閲覧利用者による入力手段３からマウス等による指示が発生（ステップＳ２０１）すると、マウス指示の１点目かの判定（ステップＳ２０２）を実施する。そして、１点目がＹｅｓの場合は、一時記憶部９の点テーブルにその座標情報を格納し（ステップＳ２０３）、既に選択時間ブロックが選択状態になっているかの判定を行い（ステップＳ２０４）、既に選択時間ブロックが選択状態になっている場合は、現在の選択状態の強調表示を削除し（ステップＳ２０５）、マウス指示の発生待ちとなる。選択状態でないＮｏの場合は、そのままマウス指示の発生待ちとなる。
【００３４】
マウス指示の１点目かの判定（ステップＳ２０２）でＮｏの判定になった場合は、閲覧利用者によるマウス指示の２点目かの判定を実施する（ステップＳ２０６）。２点目の場合もＹｅｓの場合は、一点目と同様に一時記憶部９の点テーブルにその座標情報を格納し（ステップＳ２０７）、既に選択時間ブロックが選択状態になっているか判定を行い（ステップＳ２０８）、既に選択時間ブロックが選択状態になっているＹｅｓの場合は、現在の選択状態の強調表示を削除（ステップＳ２０９）し、マウス指示の発生待ちとなり、選択状態になっていない場合は、そのままマウスイベント発生待ちとなる。マウス指示の２点目かの判定（ステップＳ２０６）において、Ｎｏの判定になった場合は、マウス指示の発生待ちとなる。
【００３５】
選択した強調表示部分の詳細表示を行う場合には、例えば該当部分を一般な押す（クリックする）詳細表示ボタン構成とし、この詳細表示ボタンを押すことにより、詳細表示への遷移動作を行う。遷移動作により、図５に示す選択した強調表示部分の時間帯の情報を取得（ステップＳ２１）し、詳細表示画面１５を表示するため、詳細画面表示処理を実行する（ステップＳ２２）。
【００３６】
ここで、詳細画面表示処理（ステップＳ２２）の詳細画面表示処理の詳細を、図１０に示すフローチャートにより説明する。詳細画面表示処理（ステップＳ２２）においては、選択により強調表示された時間ブロックの情報を取得し（ステップＳ２２１）、強調表示された時間ブロックに該当するログ情報を利用者単位にログオンからログオフまでの一つの操作ブロックとしたタイムライン表示が行わせ（ステップＳ２２２）、利用者単位のタイムライン表示は、識別のために凡例表示を実施する（ステップＳ２２３）。
【００３７】
表示手段２の画面に表示する詳細表示画面１５は、図２に示す如く利用者Ａ、Ｂ単位に区別がされており、利用者の作業単位のログ情報を表す凡例表示が行われる。その凡例表示に従い、利用者単位Ａ、Ｂ毎にログオンからログオフまでの一つの操作ブロックとしたタイムラインで表示を行うようにしている。閲覧利用者が、画面のタイムラインの表示を入力手段３からマウス指示すると、利用者単位Ａ、Ｂ毎にログオンからログオフまでのログ情報の全てがログ記録表示画面１６に表示される（ステップＳ２３）。このタイムライン表示の単位は、利用者単位のログオンからログオフ以外にパソコンロックシステムによる解除状態から施錠状態までを１つの単位として表示としても良いものである。
【００３８】
図２に示す画面の例においては、詳細表示画面１５は、例えば凡例表示として、Ａさんのログ情報は斑模様の表示とし、Ｂさんのログ情報は、縦縞模様表示としている。この凡例表示された時間帯の詳細を表示する場合には、閲覧利用者が入力手段３から、マウスで矢印を該当時間帯の指定、或いは該当時間帯の部分を押すことにより、このログ情報がポップアップ表示の手段等でログ記録表示画面１６の表示を行わせるようにしている。
【００３９】
上記したフローチャートを用いて説明のビジュアルナビゲート手段５の処理手順は、この全体の処理手順を一括プログラム化しての使用、或いは個々の構成部分の処理手順毎にプログラム化しての使用で実施することができる。
【００４０】
このように、ビジュアルナビゲート手段５の処理手順によって、指定年を起点として月、日、時単位、分区分単位、詳細ログ情報のような段階的なビジュアル化した表示を行わせたため、検索結果の確認を容易にできるし、目的のログ情報に迅速にアクセスすることができる。
【００４１】
図１に示す記憶媒体４は、ログ情報の検索を容易にするために、ログファイル１０とログファイルインデックス１１の双方を記録保存しているが、検索性能面で効率を問題としない場合には、ログファイルインデックス１１を省略し、ログファイル１０から直接全検索する手段等によって、検索することもできる。また、記憶媒体４がコンピュータシステム１に内蔵されている場合には、その一部を一時記憶部９として利用することもできる。
【図面の簡単な説明】
【００４２】
【図１】本発明の一実施例であるログ情報のジュアル化装置を示す構成図である。
【図２】本発明のログ情報のビジュアル化装置によるログ情報の表示例を示す図である。
【図３】本発明におけるログ情報のデータ構造の例を示す図である。
【図４】本発明におけるログファイルインデックス構造の一例を示す図である。
【図５】本発明におけるビジュアルナビゲートの手順を示すフローチャートである。
【図６】本発明の表示対象年決定処理の手順を示すフローチャートである。
【図７】本発明の選択月カレンダー表示処理の手順を示すフローチャートである。
【図８】本発明の選択日時間単位画面処理の手順を示すフローチャートである。
【図９】本発明の時間単位画面操作処理の手順を示すフローチャートである。
【図１０】本発明の詳細画面表示処理の手順を示すフローチャートである。
【符号の説明】
【００４３】
１…コンピュータシステム、２…表示手段、３…入力手段、４…記憶媒体、５…ビジュアルナビゲート手段、６…ログ情報取得部、７…ログ情報選択部、７Ａ…年指定処理部、７Ｂ…月指定処理部、７Ｃ…日指定処理部、７Ｄ…時間指定処理部、８…画面表示処理手段、９…一時記憶部、１０…ログファイル、１１…ログファイルインデックス、１２…月選択画面、１３…カレンダー表示画面、１４…時間単位画面、１５…詳細表示画面、１６…ログ記録表示画面。
【図１】
2007114817.tif 000003
【図２】
2007114817.tif 000004
【図３】
2007114817.tif 000005
【図４】
2007114817.tif 000006
【図５】
2007114817.tif 000007
【図６】
2007114817.tif 000008
【図７】
2007114817.tif 000009
【図８】
2007114817.tif 000010
【図９】
2007114817.tif 000011
【図１０】
2007114817.tif 000012